(57)【要約】【課題】  コンピュータ内の熱をケース外部に排出して効果的な冷却効果を達成すると共に、ケース内部の空間を有効に運用できるようにしたコンピュータケース内部配置装置の提供。【解決手段】  コンピュータ起動及びデータ保存に供される複数の読み書きユニットがスタック式にケース内部上方に配置され、ハードディスクアレイが形成されてデータ保存容量が拡充され、その他のハードウエア設備とマザーボード上に半田付けされた電子部品の間の空間の高さが増され、配線が規律的に配置され、外部空気がケースの前面パネル或いは両側より進入する時にケース内部の各ハードウエア設備及び電子部品の発生する熱をケース後方に導き、後面板に配置された冷却装置により熱をケース外部に排出して効果的な冷却効果を達成すると共に、ケース内部の空間を有効に運用できるようにしている。【選択図】        図１
0003104435.tif 000002
【実用新案登録請求の範囲】
【請求項１】
第１読み書きユニットの配置位置を改変して第２読み書きユニットとマザーボードの間の空間を空として有効冷却チャネルを形成するのに用いられるコンピュータケース内部配置装置において、
ケースと、
該ケース内部にスタック方式で配置された少なくとも二つの第１読み書きユニットとを具え、
該第１読み書きユニットがスタック方式でコンピュータのケース内部上方に配置されることで、第２読み書きユニットとマザーボードの間の空間が空とされて、ケース内部の熱がケース後方へと流通して排出され、有効な冷却を行なえるほか、高容量データアクセス空間を獲得できるよう形成されたことを特徴とする、コンピュータケース内部配置装置。
【請求項２】
請求項１記載のコンピュータケース内部配置装置において、前記ケースは底部を具え、該底部の前後にそれぞれ面板が組み付けられ、並びにこれら二つの面板間に収容空間が形成されたことを特徴とする、コンピュータケース内部配置装置。
【請求項３】
請求項２記載のコンピュータケース内部配置装置において、収容空間の底部の上にマザーボードが配置されたことを特徴とする、コンピュータケース内部配置装置。
【請求項４】
請求項２記載のコンピュータケース内部配置装置において、前面板に第２読み書きユニットが順に組み付けられたことを特徴とする、コンピュータケース内部配置装置。
【請求項５】
請求項４記載のコンピュータケース内部配置装置において、第２読み書きユニットが３．５インチＦＤドライブ或いはＣＤドライブのいずれかとされたことを特徴とする、コンピュータケース内部配置装置。
【請求項６】
請求項２記載のコンピュータケース内部配置装置において、後面板に各種の異なるピン数のコネクタ、冷却装置及び電源供給装置が組み付けられたことを特徴とする、コンピュータケース内部配置装置。
【請求項７】
請求項２記載のコンピュータケース内部配置装置において、後面板、後面板の上方に二つの相互に対応する支持部が配置され、この二つの支持部の間に配置空間が形成され、該配置空間に少なくとも一つの第１読み書きユニットが配置されたことを特徴とする、コンピュータケース内部配置装置。
【請求項８】
請求項１記載のコンピュータケース内部配置装置において、第１読み書きユニットが少なくともケーシングと該ケーシング内部に配置されたハードディスクで構成されたことを特徴とする、コンピュータケース内部配置装置。
【請求項９】
請求項８記載のコンピュータケース内部配置装置において、ケーシングの周囲に複数の接合部が設けられ、該接合部により第１読み書きユニットが二つの支持部間に配置されたことを特徴とする、コンピュータケース内部配置装置。
【請求項１０】
請求項８記載のコンピュータケース内部配置装置において、ケーシングの一端に連接部が設けられたことを特徴とする、コンピュータケース内部配置装置。
【考案の詳細な説明】
【技術分野】
【０００１】
本考案は一種のコンピュータケース内部配置装置に係り、特に、コンピュータ起動及びデータ保存に供される複数の読み書きユニットがスタック式にコンピュータケースに配置され、データ保存容量が拡充されたほか、ケース内部に良好な冷却空間チャネルがある、コンピュータケース内部配置構造に関する。
【背景技術】
【０００２】
コンピュータを購入する時は、コンピュータの演算速度及び機能によりパーツを選択できるほか、好みのケースを選ぶことができる。過去の伝統的なコンピュータケースの外観はほぼ同じであり、多くは色或いは点滅するランプ効果の有無程度の違いしかなかった。
【０００３】
且つ、過去の伝統的なコンピュータケースは８０ｃｍから９０ｃｍの高さがあり、このようなコンピュータケースは後日、異なるソフトウエア作業を実行するためにコンピュータにハードウエアを拡充する必要があるとき、比較的習熟した使用者にとっては自分で必要なハードウエアを拡充することができるため、このように習熟した使用者にとって比較的重要な設計である。しかし、一般のパソコン使用者にとっては、伝統的なコンピュータケースの体積は大き過ぎ場所をとるため、卓上に置いて使用するのに不便で、使用者の空間上の運用の問題を形成しやすい。
【０００４】
このため、すでにある業者により、「ＸＰＣタイプ」コンピュータが提供され、これはデスクトップ型コンピュータを縮小した設計であり、一般のコンピュータの１／３から１／４しかないが、内部の部品はもとのデスクトップ型コンピュータの部品をそのまま使用しているため、性能が高く、価格は低い。
【０００５】
しかし、このようなＸＰＣコンピュータのケースは前面板に下から上にハードディスク、３．５インチＦＤドライブ、ＣＤドライブ、ＤＶＤドライブ等が組付けられ、これらのハードウエア設備とマザーボードに半田付けされた電子部品（例えばヒートシンク）が接近してハードウエア設備とマザーボード上の電子部品の間の空間が縮小され、さらに内部のハードウエア設備の配線が不規則に配置された状況にあって、コンピュータケース前面板或いは両側より進入する空気が順調にマザーボード及びハードウエア設備運転時に発生する熱をケース後方に導いて、ケース外に排出することができず、このためケース内の冷却効果が不良で、その他のハードウエア設備の正常な運転にも支障を来した。
【考案の開示】
【考案が解決しようとする課題】
【０００６】
本考案の目的は、上述の技術の欠点を解決した一種のコンピュータケース内部配置装置を提供することにある。それは、コンピュータ起動及びデータ保存に供される複数の読み書きユニットのコンピュータケースにおける配置位置を改変し、コンピュータケース内部に良好な冷却空間チャネルを具備させ、さらに、データの保存容量を増して、有効にコンピュータケース内部空間を運用できるようにしたものとする。
【課題を解決するための手段】
【０００７】
請求項１の考案は、第１読み書きユニットの配置位置を改変して第２読み書きユニットとマザーボードの間の空間を空として有効冷却チャネルを形成するのに用いられるコンピュータケース内部配置装置において、
ケースと、
該ケース内部にスタック方式で配置された少なくとも二つの第１読み書きユニットとを具え、
該第１読み書きユニットがスタック方式でコンピュータのケース内部上方に配置されることで、第２読み書きユニットとマザーボードの間の空間が空とされて、ケース内部の熱がケース後方へと流通して排出され、有効な冷却を行なえるほか、高容量データアクセス空間を獲得できるよう形成されたことを特徴とする、コンピュータケース内部配置装置としている。
請求項２の考案は、請求項１記載のコンピュータケース内部配置装置において、前記ケースは底部を具え、該底部の前後にそれぞれ面板が組み付けられ、並びにこれら二つの面板間に収容空間が形成されたことを特徴とする、コンピュータケース内部配置装置としている。
請求項３の考案は、請求項２記載のコンピュータケース内部配置装置において、収容空間の底部の上にマザーボードが配置されたことを特徴とする、コンピュータケース内部配置装置としている。
請求項４の考案は、請求項２記載のコンピュータケース内部配置装置において、前面板に第２読み書きユニットが順に組み付けられたことを特徴とする、コンピュータケース内部配置装置としている。
請求項５の考案は、請求項４記載のコンピュータケース内部配置装置において、第２読み書きユニットが３．５インチＦＤドライブ或いはＣＤドライブのいずれかとされたことを特徴とする、コンピュータケース内部配置装置としている。
請求項６の考案は、請求項２記載のコンピュータケース内部配置装置において、後面板に各種の異なるピン数のコネクタ、冷却装置及び電源供給装置が組み付けられたことを特徴とする、コンピュータケース内部配置装置としている。
請求項７の考案は、請求項２記載のコンピュータケース内部配置装置において、後面板、後面板の上方に二つの相互に対応する支持部が配置され、この二つの支持部の間に配置空間が形成され、該配置空間に少なくとも一つの第１読み書きユニットが配置されたことを特徴とする、コンピュータケース内部配置装置としている。
請求項８の考案は、請求項１記載のコンピュータケース内部配置装置において、第１読み書きユニットが少なくともケーシングと該ケーシング内部に配置されたハードディスクで構成されたことを特徴とする、コンピュータケース内部配置装置としている。
請求項９の考案は、請求項８記載のコンピュータケース内部配置装置において、ケーシングの周囲に複数の接合部が設けられ、該接合部により第１読み書きユニットが二つの支持部間に配置されたことを特徴とする、コンピュータケース内部配置装置としている。
請求項１０の考案は、請求項８記載のコンピュータケース内部配置装置において、ケーシングの一端に連接部が設けられたことを特徴とする、コンピュータケース内部配置装置としている。
【考案の効果】
【０００８】
本考案のコンピュータケース内部配置装置は、コンピュータ起動及びデータ保存に供される複数の読み書きユニットがスタック式にケース内部上方に配置され、ハードディスクアレイが形成されてデータ保存容量が拡充され、その他のハードウエア設備とマザーボード上に半田付けされた電子部品の間の空間の高さが増され、配線が規律的に配置され、外部空気がケースの前面パネル或いは両側より進入する時にケース内部の各ハードウエア設備及び電子部品の発生する熱をケース後方に導き、後面板に配置された冷却装置により熱をケース外部に排出して効果的な冷却効果を達成すると共に、ケース内部の空間を有効に運用できるようにしている。
【考案を実施するための最良の形態】
【０００９】
本考案は一種のコンピュータケース内部配置装置を提供し、それは、コンピュータ起動及びデータ保存に供される複数の読み書きユニットがスタック式にケース内部上方に配置され、ディスクアレイが形成されてデータ保存容量が拡充され、その他のハードウエア設備とマザーボード上に半田付けされた電子部品の間の空間の高さが増され、配線が規律的に配置され、外部空気がケースの前面パネル或いは両側より進入する時にケース内部の各ハードウエア設備及び電子部品の発生する熱をケース後方に導き、後面板に配置された冷却装置により熱をケース外部に排出して効果的な冷却効果を達成し、さらにデータの保存容量を増すことができるようにしている。
【実施例１】
【００１０】
図１、２は本考案のコンピュータケース内部配置装置の構造分解図及び組合せ立体図である。それは、ケース１、及び、該ケース１内部にあってスタック方式で配置された少なくとも二つの第１読み書きユニット２、２’で構成され、前述の第１読み書きユニット２、２’の配置位置を改変することで、ケース１内部のマザーボード（図示せず）と第２読み書きユニット４の間の空間を空にし、ケース１内部の空気流通を順調とし、マザーボードの電子部品及び第１、２読み書きユニット２、４の発生する熱を有効にケース１外部に排出して、マザーボードの電子部品及び第１、２読み書きユニット２、４の正常運転を確保する。
【００１１】
上述のケース１は底部１１を具え、該底部１１の前後にそれぞれ面板１２、１３が組み付けられ、並びにこれら二つの面板１２、１３間に収容空間１４が形成され、この収容空間１４にあって底部１１の上にマザーボードが配置され、前面板１２に各種の第２読み書きユニット４が組み付けられ、この第２読み書きユニット４は３．５インチＦＤドライブ及びＣＤドライブ或いはその一方とされ、前述の後面板１３には各種のコネクタ５、冷却装置及び電源供給装置７が組み付けられる。また、前述の前、後面板１２、１３の上方に二つの相互に対応する支持部１５、１５’が配置され、並びに二つの支持部１５、１５’の間に配置空間１６が形成され、この配置空間１６に少なくとも一つの第１読み書きユニット２が配置される。
【００１２】
該第１読み書きユニット２は少なくともケーシング２１と該ケーシング２１内部に配置されたハードディスク２２で構成され、該ケーシング２１の周囲に該ケーシング２１を上述の二つの支持部１５、１５’に取り付けるための複数の接合部２１１が設けられ、これによりケーシング２１が二つの支持部１５、１５’の形成する配置空間１６内に配置され、前述のケーシング２１の別端に連接部２１２があり、該連接部２１２はハードディスク２２の必要とする電源コネクタ（図示せず）の接続に供され、さらに前述のハードディスク２２はコンピュータ起動及びデータ保存に用いられる。
【００１３】
複数の第１読み書きユニット２、２’がスタック方式で上述のケース１の上方に配置されることで、マザーボードと第２読み書きユニット４の間の空間が空となり、有効な冷却チャネルが形成されるほか、このスタック方式によりハードディスクアレイが形成され、データの保存量が増す。
【００１４】
図２、３は本考案のコンピュータケースとハードウエア設備構造の組合せ立体図及び組合せ完成表示図である。図示されるように、コンピュータを組み立てる時、まずマザーボード３をケース１の底部１１の上に配置し、各種の第２読み書きユニット（３．５インチＦＤドライブ及びＣＤドライブ）４を順に前面板１２に取り付け、次に、各種のコネクタ５、冷却装置６及び電源供給装置７を後面板１３に取り付けた後、さらに複数の第１読み書きユニット２、２’をスタック方式で二つの支持部１５、１５’の形成する配置空間１６内に配置する。前述の第１読み書きユニット２、２’を配置空間１６に配置することで、第２読み書きユニット４とマザーボード３間の空間が空となり、冷却チャネルが形成され、また、第１、２読み書きユニット２、４の配線が規律的に配置され、これによりケース１の前面板１２或いはケース１の両側より進入する空気が順調にケース１内部に滞留する熱をケース１後方に導き、さらに後面板１３に取り付けられた冷却装置でマザーボード３と各種ハードウエア設備の発生する熱がケース１外に排出され、これにより有効な冷却効果を達成する。
【００１５】
また、複数の第１読み書きユニット２、２’がスタック方式で二つの支持部１５、１５’の形成する配置空間１６内に配置されたことで、ハードディスクアレイが形成されて、比較的大きなデータ保存空間を取得できる。
【００１６】
さらに、ケース１に配置された二つの相互に対応する支持部１５、１５’の長さを増せば、配置空間１６を大きくして、スタックできる第１読み書きユニット２、２’の数を増すことができ、これにより最大のデータ保存空間を取得できる。
【００１７】
以上は本考案の好ましい実施例の説明であって本考案の請求範囲を限定するものではなく、本考案に基づきなしうる細部の修飾或いは改変は、いずれも本考案の請求範囲に属するものとする。
【図面の簡単な説明】
【００１８】
【図１】本考案のコンピュータケース内部配置装置の構造分解図である。
【図２】本考案のコンピュータケース内部配置装置の組合せ立体図である。
【図３】本考案のコンピュータケースとハードウエア設備構造の組合せ完成表示図である。
【符号の説明】
【００１９】
１  ケース                        １１  底部
１２  面板                        １３  面板
１４  収容空間                    １５、１５’  支持部
１６  配置空間                    ２、２’  第１読み書きユニット
２１  ケーシング                  ２２  ハードディスク
２１１  接合部                    ２１２  連接部
３  マザーボード                  ４  第２読み書きユニット
５  コネクタ                      ６  冷却装置
７  電源供給装置
【図１】
0003104435.tif 000003
【図２】
0003104435.tif 000004
【図３】
0003104435.tif 000005